(57)【特許請求の範囲】
【請求項１】
指針と、前記指針を回動させる回動軸を有する指針駆動部と、前記回動軸に対応する個所に貫通孔が形成されており前記指針に指示される指標部を有する表示板と、を備えた表示装置であって、
前記表示板は、金属光沢を発する光反射層と、前記光反射層上に印刷形成された意匠層からなる旭光模様と、前記貫通孔を中心にした環状の傾斜部と、前記傾斜部に連なる平面部と、を有すると共に、
前記旭光模様は、前記傾斜部の明度が前記平面部の明度に比して低いことを特徴とする表示装置。
【請求項２】
前記旭光模様は、多数の基本色ドットによって表示されていることを特徴とする請求項１に記載の表示装置。
【請求項３】
前記基本色ドットは、Ｃ（シアン），Ｍ（マゼンタ），Ｙ（イエロー）のドットを含むことを特徴とする請求項２に記載の表示装置。
【発明の詳細な説明】
【技術分野】
【０００１】
本発明は、指針に指示される表示板を備えた表示装置に関するものである。
【背景技術】
【０００２】
従来より、表示板に金属調加工を施した表示装置が種々提案されており、例えば、特許文献１に開示されている。斯かる表示装置は、被印刷シートの裏面に、金属光沢を発する光反射層をスクリーン印刷すると共に、被印刷シートの表面に、金属表面を擬似的に表現する金属疑似表面を形成したものである。
【先行技術文献】
【特許文献】
【０００３】
【特許文献１】特開２００５−１１１６８５号公報
【発明の概要】
【発明が解決しようとする課題】
【０００４】
しかしながら、上述した表示装置は、金属調の高い質感が得られるという利点はあるが、光反射層による光の反射が強いため、視認性が良くないという問題を有していた。
本発明は、この問題に鑑みなされたものであり、金属調の質感を保ちながら、光の反射を抑制して、高い視認性を得ることができる表示装置を提供するものである。
【課題を解決するための手段】
【０００５】
本発明は、指針１０と、前記指針１０を回動させる回動軸２２ａを有する指針駆動部２２と、前記回動軸２２ａに対応する個所に貫通孔４０ａが形成されており前記指針１０に指示される指標部４１を有する表示板４０と、を備えた表示装置であって、前記表示板４０は、金属光沢を発する光反射層４６と、前記光反射層４６上に印刷形成された意匠層４７からなる旭光模様４２と、前記貫通孔４０ａを中心にした環状の傾斜部４０ｃと、前記傾斜部４０ｃに連なる平面部４０ｂ，４０ｄと、を有すると共に、前記旭光模様４２は、前記傾斜部４０ｃの明度が前記平面部４０ｂ，４０ｄの明度に比して低いものである。
【０００８】
また、本発明は、前記旭光模様４２は、多数の基本色ドットによって表示されているものである。
【０００９】
また、本発明は、前記基本色ドットは、Ｃ（シアン），Ｍ（マゼンタ），Ｙ（イエロー）のドットを含むことを特徴とする請求項４に記載の表示装置。
【発明の効果】
【００１０】
金属光沢を発する光反射層上に、意匠層からなる旭光模様を印刷形成することによって、金属調の質感を保ちながら、光の反射を抑制して、高い視認性を得ることができる。
【図面の簡単な説明】
【００１１】
【図１】本発明の実施形態を示す断面図。
【図２】同上実施形態を示す正面図。
【図３】同上実施形態を示す要部拡大断面図。
【図４】同上実施形態を示す要部拡大正面図。
【発明を実施するための形態】
【００１２】
以下、添付図面に基づいて、本発明の一実施形態を説明する。車両用表示装置は、指針１０と、回路基板２０と、ケース体３０と、表示板４０と、液晶表示器５０と、後面カバー６０と、を備えている。
【００１３】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。回路基板２０は、基板本体２１と、基板本体２１の後面側に実装された指針駆動部２２と、基板本体２１の表面側に実装された発光素子２４，２５と、を備えており、表示板４０の後側に配置されている。
【００１４】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１５】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ａに挿入される。表示板４０の貫通孔４０ａは、指針駆動部２２の回動軸２２ａに対応する個所に形成されており、正面視で円形状になっている。
【００１６】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が後述する指標部４１を指示する。
【００１７】
発光素子２４，２５は、夫々、１個以上の発光ダイオード等によって構成される。発光素子２４は、表示板４０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１８】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１９】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。
【００２０】
表示板４０は、立体的にプレス成形されており、指標部４１を囲むように形成された断面円弧状の突出部４０ｅと、指標部４１よりも内側（即ち、指標部４１よりも貫通孔４０ａ側）に形成された傾斜部４０ｃと、を有している。表示板４０の突出部４０ｅと傾斜部４０ｃの間は、平面部４０ｄになっている。表示板４０の傾斜部４０ｃと貫通孔４０ａの間は、平面部４０ｂになっている。表示板４０の平面部４０ｂ，４０ｄは、回路基板２０と平行になっている。表示板４０の傾斜部４０ｃは逆円錐状になっており、表示板４０の平面部４０ｂは、平面部４０ｄよりも回路基板２０に近くなっている。
【００２１】
表示板４０は、透光性シートからなる基材４４の前面に、白色層４５，メタリック層４６，意匠層４７，黒色層４８，オーバーコート層４９を順次、スクリーン印刷にて形成したものである。白色層４５は、基材４４の全域に形成されている。メタリック層４６は、指標部４１の近傍を除いて、基材４４の全域に形成されており、金属光沢を発するものである。意匠層４７は、白色層４５上に形成された多数の微細な基本色ドッドからなるものであり、前記基本色ドットは、Ｃ（シアン），Ｍ（マゼンタ），Ｙ（イエロー），Ｋ（ブラック）の４色のドットを有している。
【００２２】
黒色層４８には開口４８ａが形成されており、この開口４８ａが指標部４１になっている。基材４４の後面には、光拡散層４３が形成されている。表示板４０の指標部４１には、白色層４５，オーバーコート層４９が順次形成されている。指標部４１の周囲には、黒色層４８が形成されている。
【００２３】
表示板４０の中央には、液晶表示器５０の画像を視認する矩形の窓部４０ｇが形成されている。液晶表示器５０は、２個の指針式計器（速度計及び回転計）の間に配置されている。液晶表示器５０には、積算走行距離等の車両情報が表示される。
【００２４】
次に、表示板４０について更に詳述する。表示板４０は、指標部４１と、旭光模様４２と、を有している。表示板４０の指標部４１は、貫通孔４０ａを中心とした円弧状に配置されており、発光素子２４が発した照明光によって透過照明される。表示板４０の旭光模様４２は、有彩色の模様であり、旭光を模したものである。
【００２５】
表示板４０の旭光模様４２は、光反射層４６からなるものであり、貫通孔４０ａを中心にして放射状に広がる模様である。表示板４０の旭光模様４２は、傾斜部４０ｃで明度が低くなっている。つまり、平面部４０ｂ，４０ｄにおける旭光模様４２の明度に比較して、傾斜部４０ｃにおける旭光模様４２の明度が低くなっている。
【００２６】
本実施形態によれば、メタリック層４６上に、意匠層４７からなる旭光模様４２を印刷形成することによって、金属調の質感を保ちながら、光の反射を抑制して、高い視認性を得ることができる。また、旭光模様４２は、傾斜部４０ｃの明度が平面部４０ｂ，４０ｄの明度に比して低くなっているため、表示板４０の立体感が強調される。
【００２７】
なお、本発明は、本実施形態に限定されるものではなく、種々の変形が可能である。例えば、意匠層４７の基本色ドットが、Ｃ（シアン），Ｍ（マゼンタ），Ｙ（イエロー），Ｋ（ブラック）の４色のドットからなるものであったが、例えば、意匠層４７の基本色ドットが、Ｃ（シアン），Ｍ（マゼンタ），Ｙ（イエロー）の３色のドットからなるものであっても良いし、任意の２色のドットからなるものであっても良い。
【符号の説明】
【００２８】
１０    指針
２２    指針駆動部
２２ａ  回動軸
２４    発光素子
２５    発光素子
４０    表示板
４０ａ  貫通孔
４０ｂ  平面部
４０ｃ  傾斜部
４０ｄ  平面部
４１    指標部
４２    旭光模様
４６    メタリック層（光反射層）
４７    意匠層
【図１】
0006512437.tif 000002
【図２】
0006512437.tif 000003
【図３】
0006512437.tif 000004
【図４】
0006512437.tif 000005